(57)【特許請求の範囲】
【請求項１】
データ放送コンテンツ送信装置からのデータ放送コンテンツを受信し、当該データ放送コンテンツを、対応する変換ルールを用いて他の提示方式に変換して出力するデータ放送コンテンツ受信変換装置において、
前記データ放送コンテンツを受信するコンテンツ受信部と、
当該コンテンツ受信部が受信したデータ放送コンテンツを構成するＢＭＬ文書の中に記載された、ＵＲＩ名とバージョン番号とから構成された変換ルールＩＤを抽出する変換ルールＩＤ取得部と、
各変換ルールＩＤに対応した各変換ルールを蓄積し、変換ルール配信サーバから通信網を介して変換ルールを取得したときに情報を更新する変換ルール蓄積部と、
前記変換ルールＩＤ取得部で抽出された変換ルールＩＤを用いて、前記抽出された変換ルールＩＤと同一の変換ルールＩＤを有する変換ルール、または、前記抽出された変換ルールＩＤとバージョン番号が異なりその差分が予め定められた所定値以下である類似の変換ルールＩＤを有する変換ルールのうちのいずれかが蓄積されているか否かの問い合わせを前記変換ルール蓄積部に対して行う変換ルール問い合わせ部と、
前記同一の変換ルールＩＤに対応する変換ルールが前記変換ルール蓄積部に蓄積されている場合、前記変換ルール蓄積部から当該変換ルールを取得し、前記同一の変換ルールＩＤに対応する変換ルールが蓄積されていなくても前記類似の変換ルールＩＤに対応する変換ルールが前記変換ルール蓄積部に蓄積されているのであれば、前記変換ルール蓄積部から当該変換ルールを取得する第１の変換ルール取得部と、
前記同一の変換ルールＩＤおよび前記類似の変換ルールＩＤに対応する変換ルールが前記変換ルール蓄積部に蓄積されていない場合、前記変換ルールＩＤ取得部で抽出された変換ルールＩＤを用いて、前記抽出された変換ルールＩＤに対応する変換ルールの送出要求を、通信網を介して前記変換ルール配信サーバに対して行う変換ルール送出要求部と、
前記変換ルール配信サーバから前記通信網を介して前記抽出された変換ルールＩＤに対応する変換ルールを取得する第２の変換ルール取得部と、
前記第１の変換ルール取得部または前記第２の変換ルール取得部が取得した変換ルールを用いて前記データ放送コンテンツを変換して出力する変換ルール適用部と
を備えることを特徴とするデータ放送コンテンツ受信変換装置。
【請求項２】
データ放送コンテンツ送信装置からのデータ放送コンテンツを受信し、当該データ放送コンテンツを、対応する変換ルールを用いて他の提示方式に変換して出力するデータ放送コンテンツ受信変換装置において、
前記データ放送コンテンツを受信するコンテンツ受信部と、
当該コンテンツ受信部が受信したデータ放送コンテンツを構成するＢＭＬ文書の中に記載された、ＵＲＩ名とコンテンツの修正の程度に応じた複数の階層バージョン番号とから構成された変換ルールＩＤを抽出する変換ルールＩＤ取得部と、
各変換ルールＩＤに対応した各変換ルールを蓄積し、変換ルール配信サーバから通信網を介して変換ルールを取得したときに情報を更新する変換ルール蓄積部と、
前記変換ルールＩＤ取得部で抽出された変換ルールＩＤを用いて、前記抽出された変換ルールＩＤと同一の変換ルールＩＤを有する変換ルール、または、前記抽出された変換ルールＩＤと複数の階層バージョン番号の内の修正の程度が最も小さい最下層のバージョン番号のみが異なる類似の変換ルールＩＤを有する変換ルールのうちのいずれかが蓄積されているか否かの問い合わせを前記変換ルール蓄積部に対して行う変換ルール問い合わせ部と、
前記同一の変換ルールＩＤまたは前記類似の変換ルールＩＤに対応する変換ルールが前記変換ルール蓄積部に蓄積されている場合、前記変換ルール蓄積部から当該変換ルールを取得し、前記同一の変換ルールＩＤに対応する変換ルールが蓄積されていなくても前記類似の変換ルールＩＤに対応する変換ルールが前記変換ルール蓄積部に蓄積されているのであれば、前記変換ルール蓄積部から当該変換ルールを取得する第１の変換ルール取得部と、
前記同一の変換ルールＩＤおよび前記類似の変換ルールＩＤに対応する変換ルールが前記変換ルール蓄積部に蓄積されていない場合、前記変換ルールＩＤ取得部で抽出された変換ルールＩＤを用いて、前記抽出された変換ルールＩＤに対応する変換ルールの送出要求を、通信網を介して接続された変換ルール配信サーバに対して行う変換ルール送出要求部と、
前記変換ルール配信サーバから前記通信網を介して前記抽出された変換ルールＩＤに対応する変換ルールを取得する第２の変換ルール取得部と、
前記第１の変換ルール取得部または前記第２の変換ルール取得部が取得した変換ルールを用いて前記データ放送コンテンツを変換して出力する変換ルール適用部と
を備えることを特徴とするデータ放送コンテンツ受信変換装置。
【請求項３】
前記変換ルールＩＤ取得部は、前記ＢＭＬ文書の中の、ＸＭＬコメント、Ｍｅｔａタグ、Ｔｉｔｌｅ、ＢＭＬでは定義されておらずに独自に定義したタグのうちのいずれか１つに記載された前記変換ルールＩＤを抽出することを特徴とする請求項１または請求項２に記載のデータ放送コンテンツ受信変換装置。
【発明の詳細な説明】
【技術分野】
【０００１】
本発明は、放送局（データ放送コンテンツ送信装置）からのデータ放送を受信することによって得たデータ放送コンテンツに対応する変換ルール（例えば、視聴覚障害者等の情報受信者に提示できるように、データ放送コンテンツの内容を変換するためのルール）を用いてデータ放送コンテンツを変換して出力するデータ放送コンテンツ受信変換装置に関する。
【背景技術】
【０００２】
データ放送コンテンツ受信装置の表示画面にデータ放送コンテンツを表示させる際の表示フォーマットは規格によって画一的なものに限定されている。その一方で、規格に従って、データ放送コンテンツをデータ放送コンテンツ受信装置の表示画面に表示させる以外にも、視聴覚障害者等、障害者向けにデータ放送を提示したいという要望、その他個人の好みに合わせてデータ放送を提示したい等、データ放送を多目的利用したいという要望がある。
【０００３】
この解決策のひとつとして、特許文献１には、放送局から受信したデータ放送コンテンツのテンプレートを、障害者等、各情報受信者向けに提示するために変換するための変換規則（以下、変換ルールと称する）と、各データ放送コンテンツのテンプレートと各変換ルールとを対応させる変換対応表とを、データ放送コンテンツと共に受信するデータ放送コンテンツ受信変換装置が記載されている。そして、前記変換対応表に基づいて、データ放送コンテンツに対応する変換ルールを検知し、この検知した変換ルールを用いてデータ放送コンテンツを変換して提示するデータ放送コンテンツ受信変換装置が記載されている。
【特許文献１】特開２００４−３３４３７２号公報
【発明の開示】
【発明が解決しようとする課題】
【０００４】
しかしながら、前記の従来のデータ放送コンテンツ受信変換装置では、データ放送コンテンツのテンプレートに対応する変換ルールを、順次テンプレートを試して対応するものがあるまで探す必要があった。また、データ放送コンテンツを作成するテンプレートを一部でも変更した場合は、それに対応した変換ルールを得るとともに、各データ放送コンテンツと各変換ルールとを対応させる変換対応表を更新しなければならないという問題があった。
【０００５】
また、現状では、変換ルールについては規格で規定されていないこと、変換ルールも送出できるほど伝送帯域を大きくとれないこと、データ放送コンテンツ制作者と変換ルール制作者が異なることなどにより、放送波では変換ルールを提供することが難しいため、データ放送コンテンツと変換ルールとは別々に管理され、変換ルールは、放送波とは異なる別の配信経路で、例えば、インターネット等の通信網を介して配信される。よって、データ放送コンテンツが頻繁に更新される場合、データ放送コンテンツが更新される度に変換ルールも更新すると、変換ルールの配信コストが高くなるという問題が発生する。そこで、変換ルールの配信コストの低減を図るためには、所定のデータ放送コンテンツに対応する変換ルールを適切に取得し更新する処理が必要となる。
【０００６】
なお、前記の従来のデータ放送コンテンツ受信変換装置では、下記（１）または下記（２）の場合に、変換ルールの再取得、更新を行っている。
（１）変換ルールによるデータ放送コンテンツの変換に失敗した場合
（２）変換ルールに設けた有効期限の期限切れを検知した場合
上記（１）の場合、データ放送コンテンツが頻繁に更新されるとき、変換ルールによるデータ放送コンテンツの変換に失敗する割合が多くなり、その結果、変換ルールの再取得、更新が多くなるため、前記の通り、変換ルールの配信コストが高くなるという問題が発生する。また、上記（２）の場合、即ち、変換ルールに設けた有効期限が短いとき、上記（１）と同様に、変換ルールの再取得、更新が多くなるため、前記の通り、変換ルールの配信コストが高くなるという問題が発生する。
【０００７】
そこで本発明では、インターネット等の通信網を介してのデータ放送コンテンツに対応する変換ルールの取得、更新を減らすことができるようにすることにより、変換ルールの配信コストを低減させることができるデータ放送コンテンツ受信変換装置を提供することを目的とする。
【課題を解決するための手段】
【０００８】
前記の目的を達成するために、請求項１に係るデータ放送コンテンツ受信変換装置では、データ放送コンテンツ送信装置からのデータ放送コンテンツを受信し、当該データ放送コンテンツを、対応する変換ルールを用いて他の提示方式に変換して出力するデータ放送コンテンツ受信変換装置において、コンテンツ受信部と、変換ルールＩＤ取得部と、変換ルール蓄積部と、変換ルール問い合わせ部と、第１の変換ルール取得部と、変換ルール送出要求部と、第２の変換ルール取得部と、変換ルール適用部とを備えることを特徴とする構成とした。
【０００９】
かかる構成によれば、前記コンテンツ受信部は、データ放送コンテンツを受信し、前記変換ルールＩＤ取得部は、前記コンテンツ受信部が受信したデータ放送コンテンツを構成するＢＭＬ文書に記載された、ＵＲＩ名とバージョン番号とから構成された変換ルールＩＤを抽出する。そして、前記変換ルール蓄積部は、各変換ルールＩＤに対応した各変換ルールを蓄積し、変換ルール配信サーバから通信網を介して変換ルールを取得したときに情報を更新する。そして、前記変換ルール問い合わせ部は、前記変換ルールＩＤ取得部で抽出された変換ルールＩＤを用いて、前記抽出された変換ルールＩＤと同一の変換ルールＩＤを有する変換ルール、または、前記抽出された変換ルールＩＤとバージョン番号が異なりその差分が予め定められた所定値以下である類似の変換ルールＩＤを有する変換ルールのうちのいずれかが蓄積されているか否かの問い合わせを前記変換ルール蓄積部に対して行う。そして、前記第１の変換ルール取得部は、前記同一の変換ルールＩＤに対応する変換ルールが前記変換ルール蓄積部に蓄積されている場合、前記変換ルール蓄積部から当該変換ルールを取得し、前記同一の変換ルールＩＤに対応する変換ルールが蓄積されていなくても前記類似の変換ルールＩＤに対応する変換ルールが前記変換ルール蓄積部に蓄積されているのであれば、前記変換ルール蓄積部から当該変換ルールを取得する。そして、前記変換ルール送出要求部は、前記同一の変換ルールＩＤおよび前記類似の変換ルールＩＤに対応する変換ルールが前記変換ルール蓄積部に蓄積されていない場合、前記変換ルールＩＤ取得部で抽出された変換ルールＩＤを用いて、前記抽出された変換ルールＩＤに対応する変換ルールの送出要求を、通信網を介して前記変換ルール配信サーバに対して行う。そして、前記第２の変換ルール取得部は、前記変換ルール配信サーバから前記通信網を介して前記抽出された変換ルールＩＤに対応する変換ルールを取得する。そして、前記変換ルール適用部は、前記第１の変換ルール取得部または前記第２の変換ルール取得部が取得した変換ルールを用いて前記データ放送コンテンツを変換して出力する。
これにより、前記変換ルールＩＤ取得部で抽出された変換ルールＩＤのバージョン番号と前記変換ルール蓄積部に蓄積されている変換ルールに付加された変換ルールＩＤのバージョン番号とが一致しなくても、両変換ルールＩＤのＵＲＩ名が一致し、且つ、両変換ルールＩＤのバージョン番号の差分が所定値以下であるのならば、前記第１の変換ルール取得部は、前記変換ルール蓄積部に蓄積されている変換ルールを取得する。
【００１０】
また、請求項２に係るデータ放送コンテンツ受信変換装置は、データ放送コンテンツ送信装置からのデータ放送コンテンツを受信し、当該データ放送コンテンツを、対応する変換ルールを用いて他の提示方式に変換して出力するデータ放送コンテンツ受信変換装置において、前記データ放送コンテンツを受信するコンテンツ受信部と、当該コンテンツ受信部が受信したデータ放送コンテンツを構成するＢＭＬ文書の中に記載された、ＵＲＩ名とコンテンツの修正の程度に応じた複数の階層バージョン番号とから構成された変換ルールＩＤを抽出する変換ルールＩＤ取得部と、各変換ルールＩＤに対応した各変換ルールを蓄積し、変換ルール配信サーバから通信網を介して変換ルールを取得したときに情報を更新する変換ルール蓄積部と、前記変換ルールＩＤ取得部で抽出された変換ルールＩＤを用いて、前記抽出された変換ルールＩＤと同一の変換ルールＩＤを有する変換ルール、または、前記抽出された変換ルールＩＤと複数の階層バージョン番号の内の修正の程度が最も小さい最下層のバージョン番号のみが異なる類似の変換ルールＩＤを有する変換ルールのうちのいずれかが蓄積されているか否かの問い合わせを前記変換ルール蓄積部に対して行う変換ルール問い合わせ部と、前記同一の変換ルールＩＤまたは前記類似の変換ルールＩＤに対応する変換ルールが前記変換ルール蓄積部に蓄積されている場合、前記変換ルール蓄積部から当該変換ルールを取得し、前記同一の変換ルールＩＤに対応する変換ルールが蓄積されていなくても前記類似の変換ルールＩＤに対応する変換ルールが前記変換ルール蓄積部に蓄積されているのであれば、前記変換ルール蓄積部から当該変換ルールを取得する第１の変換ルール取得部と、前記同一の変換ルールＩＤおよび前記類似の変換ルールＩＤに対応する変換ルールが前記変換ルール蓄積部に蓄積されていない場合、前記変換ルールＩＤ取得部で抽出された変換ルールＩＤを用いて、前記抽出された変換ルールＩＤに対応する変換ルールの送出要求を、通信網を介して接続された変換ルール配信サーバに対して行う変換ルール送出要求部と、前記変換ルール配信サーバから前記通信網を介して前記抽出された変換ルールＩＤに対応する変換ルールを取得する第２の変換ルール取得部と、前記第１の変換ルール取得部または前記第２の変換ルール取得部が取得した変換ルールを用いて前記データ放送コンテンツを変換して出力する変換ルール適用部とを備えることを特徴とする。
【００１１】
かかる構成によれば、前記変換ルール蓄積部に蓄積される変換ルールに対応する変換ルールＩＤが、前記変換ルールＩＤ取得部で抽出された変換ルールＩＤと一致していなくても、前記変換ルールＩＤ取得部で抽出された変換ルールＩＤの複数の階層バージョン番号の内の最下層のバージョン番号が異なるのみであるのならば、前記第１の変換ルール取得部は、前記変換ルール蓄積部に蓄積されている変換ルールを取得する。
【００１２】
なお、請求項３に係るデータ放送コンテンツ受信変換装置は、請求項１または請求項２に記載のデータ放送コンテンツ受信変換装置において、前記変換ルールＩＤ取得部は、ＢＭＬ文書の中の、ＸＭＬコメント、Ｍｅｔａタグ、Ｔｉｔｌｅ、ＢＭＬでは定義されておらずに独自に定義したタグのうちのいずれか１つに記載された前記変換ルールＩＤを抽出する構成にしても構わない。
かかる構成によれば、既存のデータ放送コンテンツ受信装置では、ＢＭＬ文書の中のＸＭＬコメント、Ｍｅｔａタグ、Ｔｉｔｌｅ、独自に定義したタグのいずれかに記載することで、変換ルールＩＤを無視することになる。
【発明の効果】
【００１７】
請求項１または請求項２記載の発明によれば、変換ルール蓄積部に蓄積された各変換ルールＩＤに対応した各変換ルールに基づき、第１の変換ルール取得部は、受信したデータ放送コンテンツを構成するＢＭＬ文書に記載の変換ルールＩＤを用いてデータ放送コンテンツに対応する変換ルールを変換ルール蓄積部から取得することができる。よって、インターネット等の通信網を介しての変換ルールの取得、更新を減らすことができるため、変換ルールの配信コストを低減させることができる。
【００１８】
請求項１または請求項２記載の発明によれば、変換ルールが変換ルール蓄積部に蓄積されていない場合、通信網を介して接続された変換ルール配信サーバに対して通信網を介して行い、変換ルールＩＤに対応する変換ルールを取得するので、多様な変換ルールに対応することが可能となる。
【００２０】
請求項１記載の発明によれば、変換ルールＩＤ取得部で抽出された変換ルールＩＤと変換ルール蓄積部に蓄積されている変換ルールに付加された変換ルールＩＤとが一致しなくても、両変換ルールＩＤのバージョン番号のみが異なり、両変換ルールＩＤのバージョン番号の差分が所定値以下であるのならば、変換ルール配信サーバから通信網を介して変換ルールを取得せず、変換ルール蓄積部から変換ルールを取得する。従って、変換ルールの配信コストを更に低減することができる。
【００２１】
請求項２記載の発明によれば、変換ルールＩＤ取得部で抽出された変換ルールＩＤと変換ルール蓄積部に蓄積されている変換ルールに付加された変換ルールＩＤとが一致しなくても、両変換ルールＩＤの複数の階層バージョン番号の内の最下層のバージョン番号とが異なるのみであるのならば、変換ルール配信サーバから通信網を介して変換ルールを取得せず、変換ルール蓄積部から変換ルールを取得する。従って、変換ルールの配信コストを更に低減することができる。
更に、請求項３記載の発明によれば、変換ルールを用いてデータ放送コンテンツを変換することを行わない既存のデータ放送コンテンツ受信装置では、受信したデータ放送コンテンツを構成するＢＭＬ文書の中のＸＭＬコメント、Ｍｅｔａタグ、Ｔｉｔｌｅ、独自に定義したタグのいずれかに記載の変換ルールＩＤを無視することにより、変換ルールＩＤが記述されていることによる既存のデータ放送コンテンツ受信装置の誤動作を防ぐことができる。
【発明を実施するための最良の形態】
【００２２】
以下、本発明の一実施形態であるデータ放送コンテンツ受信変換装置について、説明する。
【００２３】
＜第１の実施形態のデータ放送コンテンツ受信変換装置＞
まず、本発明の第１の実施形態のデータ放送コンテンツ受信変換装置について、図１、図２を参照して説明する。図１は、本発明の第１の実施形態のデータ放送コンテンツ受信変換装置の構成を示すブロック図である。図２は、本発明の第１の実施形態のデータ放送コンテンツ受信変換装置の変換ルール取得判定部の構成を示すブロック図である。本実施形態のデータ放送コンテンツ受信変換装置１は、図１に示すように、コンテンツ受信部１０、変換ルールＩＤ取得部１１、コンテンツ蓄積部１２、変換ルール取得判定部１３、変換ルール適用部１４、変換ルール蓄積部１５から構成されている。また、外部（例えば、放送局）には、変換ルール取得判定部１３とインターネット等の通信網１７を介して接続される変換ルール配信サーバ１６が存在する。また、本実施形態のデータ放送コンテンツ受信変換装置１の変換ルール取得判定部１３は、図２に示すように、変換ルール問い合わせ部２０、第１の変換ルール取得部２１、変換ルール送出要求部２２、第２の変換ルール取得部２３から構成されている（なお、第１の変換ルール取得部２１と第２の変換ルール取得部２３は変換ルール取得部として一つに構成され２つの機能を持つようにしてもよい）。
【００２４】
（本実施形態のデータ放送コンテンツ受信変換装置の各機器）
次に、本実施形態のデータ放送コンテンツ受信変換装置１の各機器について、説明する。
【００２５】
コンテンツ受信部１０は、放送局からのデータ放送の放送波が入力されることにより、放送されているデータ放送コンテンツを受信し、このデータ放送コンテンツを変換ルールＩＤ取得部１１に出力する。また、放送波以外のＣＡＴＶ、ＩＰＴＶなどの有線放送により放送されているデータ放送コンテンツを受信し、変換ルールＩＤ取得部１１に出力するようにしても構わない。なお、このコンテンツ受信部１０は、受信アンテナ（図示せず）、増幅器（図示せず）、検波回路（図示せず）等、更に、有線放送からの受信部分（図示せず）から構成されるものである。
【００２６】
変換ルールＩＤ取得部１１は、コンテンツ受信部１０から出力されたデータ放送コンテンツから変換ルールＩＤを抽出し、この変換ルールＩＤを変換ルール取得判定部１３に出力する。なお、変換ルールＩＤは、放送局のデータ放送コンテンツ送信装置で放送波を送信する前に、データ放送コンテンツに付加されるが、この変換ルールＩＤは、既存のデータコンテンツ受信装置がデータ放送コンテンツを受信したときに誤動作をおこすことがないように、データ放送コンテンツに付加される。この変換ルールＩＤのデータ放送コンテンツへの付加については、後記する。更に、変換ルールＩＤ取得部１１は、データ放送コンテンツから抽出した変換ルールＩＤを変換ルール取得判定部１３に出力するだけでなく、データ放送コンテンツをコンテンツ蓄積部１２に出力する。
【００２７】
コンテンツ蓄積部１２は、変換ルールＩＤ取得部１１から出力されたデータ放送コンテンツを蓄積する。更に、コンテンツ蓄積部１２は、蓄積されたデータ放送コンテンツを変換ルール適用部１４へ出力する。なお、ここでは、コンテンツ蓄積部１２には変換ルールＩＤ取得部１１を経由して、コンテンツを蓄積する構成として説明したが、コンテンツ受信部１０から直接（コンテンツ受信部１０から変換ルールＩＤ取得部１１と平行してコンテンツ受信部１０からコンテンツ蓄積部１２）コンテンツを取得する構成とすることも可能である。
【００２８】
変換ルール取得判定部１３は、前記の通り、変換ルール問い合わせ部２０、第１の変換ルール取得部２１、変換ルール送出要求部２２、第２の変換ルール取得部２３から構成されている。変換ルール問い合わせ部２０は、変換ルールＩＤ取得部１１で抽出された変換ルールＩＤを用いて、コンテンツ受信部１０で受信したデータ放送コンテンツに対応する変換ルールが蓄積されているか否かの問い合わせを変換ルール蓄積部１５に対して行う。即ち、変換ルールＩＤ取得部１１で抽出された変換ルールＩＤと同一または類似の変換ルールＩＤを有する変換ルールが蓄積されているか否かの問い合わせを変換ルール蓄積部１５に対して行う。なお、変換ルールＩＤ取得部１１で抽出された変換ルールＩＤと類似の変換ルールＩＤについては、後記する。
【００２９】
この問い合わせを行った際、変換ルールＩＤ取得部１１で抽出された変換ルールＩＤと同一または類似の変換ルールＩＤを有する変換ルールが変換ルール蓄積部１５に蓄積されている場合、変換ルール蓄積部１５から変換ルールが蓄積されている旨の信号が変換ルール問い合わせ部２０に入力されると共に、第１の変換ルール取得部２１は、変換ルール蓄積部１５から変換ルールを得る。そして、第１の変換ルール取得部２１は、変換ルール蓄積部１５から得た変換ルールを変換ルール適用部１４に出力する。
【００３０】
一方、前記の問い合わせを行った際、変換ルールＩＤ取得部１１で抽出された変換ルールＩＤと同一または類似の変換ルールＩＤを有する変換ルールが変換ルール蓄積部１５に蓄積されていない場合、変換ルール蓄積部１５から変換ルールが蓄積されていないことを示すエラー信号が変換ルール問い合わせ部２０に入力される。変換ルール蓄積部１５からのエラー信号が入力されると、変換ルール問い合わせ部２０は、変換ルール送出要求部２２に、変換ルールＩＤ取得部１１で抽出された変換ルールＩＤを出力する。変換ルール送出要求部２２は、変換ルール問い合わせ部２０から出力された変換ルールＩＤを用いて、コンテンツ受信部１０で受信したデータ放送コンテンツに対応する変換ルールが蓄積されているか否かの問い合わせを、インターネット等の通信網１７を介して変換ルール配信サーバ１６に対して行う。即ち、変換ルールＩＤ取得部１１で抽出された変換ルールＩＤと同一または類似の変換ルールＩＤを有する変換ルールが蓄積されているか否かの問い合わせを、インターネット等の通信網１７を介して変換ルール配信サーバ１６に対して行う。
【００３１】
この問い合わせを行った際、変換ルールＩＤ取得部１１で抽出された変換ルールＩＤと同一または類似の変換ルールＩＤを有する変換ルールが変換ルール配信サーバ１６に蓄積されている場合、変換ルール配信サーバ１６から変換ルールが蓄積されている旨の信号がインターネット等の通信網１７を介して変換ルール送出要求部２２に入力されると共に、第２の変換ルール取得部２３は、変換ルール配信サーバ１６からインターネット等の通信網１７を介して変換ルールを得る。そして、第２の変換ルール取得部２３は、得られた変換ルールを変換ルール適用部１４に出力すると共に変換ルール蓄積部１５に出力する。第２の変換ルール取得部２３で得られた変換ルールが変換ルール蓄積部１５に出力されることにより、変換ルール蓄積部１５に蓄積されている変換ルールが更新される。
【００３２】
一方、前記の問い合わせを行った際、変換ルールＩＤ取得部１１で抽出された変換ルールＩＤと同一または類似の変換ルールＩＤを有する変換ルールが変換ルール配信サーバ１６に蓄積されていない場合、変換ルール配信サーバ１６から変換ルールが蓄積されていないことを示すエラー信号がインターネット等の通信網１７を介して変換ルール送出要求部２２に入力される。変換ルール配信サーバ１６からのエラー信号が入力されると、変換ルール送出要求部２２は、変換ルールが変換ルール蓄積部１５および変換ルール配信サーバ１６に蓄積されていないと判定し、変換ルールが蓄積されているか否かの変換ルール蓄積部１５および変換ルール配信サーバ１６への問い合わせを終了する。
【００３３】
変換ルール適用部１４は、第１の変換ルール取得部２１または第２の変換ルール取得部２３から出力された変換ルールを用いて、コンテンツ蓄積部１２から出力されたデータ放送コンテンツの変換処理を行う。
【００３４】
変換ルール蓄積部１５は、変換ルール問い合わせ部２０による変換ルールが蓄積されているか否かの問い合わせに対して、変換ルールが蓄積されているのであれば、変換ルールが蓄積されている旨の信号を変換ルール問い合わせ部２０に出力すると共に、変換ルールを第１の変換ルール取得部２１に出力し、変換ルールが蓄積されていないのであれば、変換ルールが蓄積されていないことを示すエラー信号を変換ルール問い合わせ部２０に出力する。また、変換ルール蓄積部１５は、第２の変換ルール取得部２３から変換ルールが入力されたとき、即ち、変換ルール配信サーバ１６からインターネット等の通信網１７を介して第２の変換ルール取得部２３が得た変換ルールが入力されたとき、変換ルールを更新する。
【００３５】
（本実施形態のデータ放送コンテンツ受信変換装置の動作）
次に、本実施形態のデータ放送コンテンツ受信変換装置の動作について、図１〜５を参照して説明する。図３は本実施形態のデータ放送コンテンツ受信変換装置の動作を示すフローチャートの第１面である。図４は本実施形態のデータ放送コンテンツ受信変換装置の動作を示すフローチャートの第２面である。図５は本実施形態のデータ放送コンテンツ受信変換装置の動作を示すフローチャートの第３面である。
【００３６】
放送波を受信すると（ステップＳ３０→Ｙｅｓ）、コンテンツ受信部１０は、データ放送コンテンツを受信する（ステップＳ３１）。そして、コンテンツ受信部１０は受信したデータ放送コンテンツを変換ルールＩＤ取得部１１に出力する（ステップＳ３２）。変換ルールＩＤ取得部１１はコンテンツ受信部１０から出力されたデータ放送コンテンツから変換ルールＩＤを抽出する（ステップＳ３３）。なお、変換ルールＩＤは、送信側の放送局でデータ放送コンテンツに付加され、そして、変換ルールＩＤが付加されたデータ放送コンテンツがデータ放送コンテンツ受信変換装置に送信される。
【００３７】
変換ルールＩＤ取得部１１でデータ放送コンテンツから抽出した変換ルールＩＤは、変換ルール取得判定部１３内の変換ルール問い合わせ部２０に出力される（ステップＳ３４）。更に、変換ルールＩＤ取得部１１は変換ルール取得判定部１３内の変換ルール問い合わせ部２０に変換ルールＩＤを出力する以外にも、コンテンツ蓄積部１２へデータ放送コンテンツを出力する（ステップＳ３５）。コンテンツ蓄積部１２は変換ルールＩＤ取得部１１から出力されたデータ放送コンテンツを蓄積する（ステップＳ３６）。更に、コンテンツ蓄積部１２は蓄積したデータ放送コンテンツを変換ルール適用部１４に出力する（ステップＳ３７）。
【００３８】
変換ルールＩＤ取得部１１でデータ放送コンテンツから抽出された変換ルールＩＤは、変換ルール取得判定部１３内の変換ルール問い合わせ部２０に出力された（ステップＳ３４）後、変換ルール問い合わせ部２０は、この変換ルールＩＤ（変換ルールＩＤ取得部１１で抽出された変換ルールＩＤ）を用いて、変換ルール有無の問い合わせを、変換ルール蓄積部１５に対して行う（ステップＳ３８）。
【００３９】
この問い合わせに対し、変換ルール蓄積部１５は、変換ルールＩＤ取得部１１で抽出された変換ルールＩＤと同一または類似の変換ルールＩＤを有する変換ルールが蓄積されているか否かの判定を行う（ステップＳ４０）。変換ルールＩＤ取得部１１で抽出された変換ルールＩＤと同一または類似の変換ルールＩＤを有する変換ルールが変換ルール蓄積部１５に蓄積されている場合（ステップＳ４０→Ｙｅｓ）、変換ルール蓄積部１５は、変換ルールが蓄積されている旨の信号を変換ルール問い合わせ部２０に出力する。更に、変換ルール蓄積部１５は、変換ルールＩＤ取得部１１で抽出された変換ルールＩＤと同一または類似の変換ルールＩＤを有する変換ルールを変換ルール取得判定部１３内の第１の変換ルール取得部２１に出力することにより、第１の変換ルール取得部２１は、変換ルール蓄積部１５から変換ルールを取得する（ステップＳ４４）。なお、変換ルール取得後の動作については、後記する。
【００４０】
一方、前記の問い合わせに対し、変換ルールＩＤ取得部１１で抽出された変換ルールＩＤと同一または類似の変換ルールＩＤを有する変換ルールが変換ルール蓄積部１５に蓄積されていない場合（ステップＳ４０→Ｎｏ）、変換ルール蓄積部１５は、変換ルールが蓄積されていないことを示すエラー信号を変換ルール取得判定部１３内の変換ルール問い合わせ部２０に出力する（ステップＳ４１）。変換ルール問い合わせ部２０は、変換ルール蓄積部１５からのエラー信号が入力されると、変換ルール取得判定部１３内の変換ルール送出要求部２２に、変換ルールＩＤ取得部１１で抽出された変換ルールＩＤを出力する。変換ルール送出要求部２２は、変換ルール問い合わせ部２０から出力された変換ルールＩＤ（変換ルールＩＤ取得部１１で抽出された変換ルールＩＤ）を用いて、変換ルール有無の問い合わせを、インターネット等の通信網１７を介して接続された変換ルール配信サーバ１６に対して行う（ステップＳ４２）。
【００４１】
この問い合わせに対し、変換ルール配信サーバ１６は、変換ルールＩＤ取得部１１で抽出された変換ルールＩＤと同一または類似の変換ルールＩＤを有する変換ルールが蓄積されているか否かの判定を行う（ステップＳ４３）。変換ルールＩＤ取得部１１で抽出された変換ルールＩＤと同一または類似の変換ルールＩＤを有する変換ルールが変換ルール配信サーバ１６に蓄積されている場合（ステップＳ４３→Ｙｅｓ）、変換ルール配信サーバ１６は、インターネット等の通信網１７を介して、変換ルールが蓄積されている旨の信号を変換ルール送出要求部２２に送出すると共に、変換ルールＩＤ取得部１１で抽出された変換ルールＩＤと同一または類似の変換ルールＩＤを有する変換ルールを変換ルール取得判定部１３内の第２の変換ルール取得部２３に送出する。よって、第２の変換ルール取得部２３は、変換ルール配信サーバ１６から変換ルールを取得する（ステップＳ４５）。そして、この変換ルールを第２の変換ルール取得部２３は変換ルール蓄積部１５に出力することにより、変換ルール蓄積部１５に蓄積されている変換ルールを更新する（ステップＳ４６）。なお、変換ルール取得後の動作については、後記する。
【００４２】
一方、変換ルールＩＤ取得部１１で抽出された変換ルールＩＤと同一または類似の変換ルールＩＤを有する変換ルールが変換ルール配信サーバ１６に蓄積されていない場合（ステップＳ４３→Ｎｏ）、即ち、変換ルール蓄積部１５だけでなく変換ルール配信サーバ１６にも変換ルールが蓄積されていない場合、変換ルール配信サーバ１６は、変換ルールが蓄積されていないことを示すエラー信号を変換ルール取得判定部１３内の変換ルール送出要求部２２に出力する（ステップＳ４７）。変換ルール送出要求部２２は、変換ルール配信サーバ１６からエラー信号が入力されると、データ放送コンテンツ（コンテンツ受信部１０で受信したデータ放送コンテンツ）に対応する変換ルールが変換ルール蓄積部１５だけでなく変換ルール配信サーバ１６にも蓄積されていないことにより、データ放送コンテンツの変換処理を行わずに終了する。
【００４３】
つぎに、変換ルール取得後の動作について説明する。即ち、変換ルール蓄積部１５または変換ルール配信サーバ１６から変換ルールを取得した（ステップＳ４４，Ｓ４６）後の動作について説明する。変換ルール蓄積部１５に蓄積されている変換ルールを更新後（ステップＳ４６の後）、第２の変換ルール取得部２３は、変換ルールを変換ルール適用部１４に出力する（ステップＳ５０）。一方、変換ルール蓄積部１５から変換ルールを取得した場合（ステップＳ４４）、この変換ルールを第１の変換ルール取得部２１は変換ルール適用部１４に出力する（ステップＳ５０）。
【００４４】
変換ルール適用部１４は、変換ルール取得判定部１３内の第１の変換ルール取得部２１または第２の変換ルール取得部２３から出力された変換ルールを用いてデータ放送コンテンツ（コンテンツ蓄積部１２から出力されたデータ放送コンテンツ）の変換処理を開始する（ステップＳ５１）。例えば、視覚障害者が把握できるようにするための変換処理を開始する。変換処理を行うことができたことで、変換処理が終了したとき（ステップＳ５２→Ｙｅｓ）、変換されたデータ放送コンテンツが、変換ルール適用部１４に接続されたスピーカ（図示せず）または点字ディスプレイ（図示せず）に出力される（ステップＳ５３）。その結果、スピーカから音声が出力されるか、点字ディスプレイに点字で表示されることにより、データ放送コンテンツの内容を視覚障害者が把握することができる。
【００４５】
なお、図示していないが、変換ルール適用部１４は、変換ルール取得判定部１３内の第１の変換ルール取得部２１または第２の変換ルール取得部２３から出力された変換ルールを用いてデータ放送コンテンツ（コンテンツ蓄積部１２から出力されたデータ放送コンテンツ）の変換処理を開始した（ステップＳ５１）後、変換処理中に変換エラーが発生したとき、変換ルール取得判定部１３内の第１の変換ルール取得部２１または第２の変換ルール取得部２３に変換エラーが発生したことを示すエラー信号を出力するようにしてもよい。
【００４６】
以上の動作（ステップＳ３０〜ステップＳ３８、ステップＳ４０〜ステップＳ４７、ステップＳ５０〜ステップＳ５３）により、本実施形態のデータ放送コンテンツ受信変換装置１は、受信したデータ放送コンテンツに対応する変換ルールが変換ルール蓄積部１５または変換ルール配信サーバ１６に蓄積されているのならば、この変換ルールを取得することができ、更に、この変換ルールを用いてデータ放送コンテンツの変換処理を行うことができる。また、受信したデータ放送コンテンツに対応する変換ルールが変換ルール蓄積部１５に蓄積されているのならば、インターネット等の通信網１７を介して変換ルール配信サーバ１６から変換ルールを取得する必要がなくなることにより、変換ルールの配信コストを低減させることができる。
【００４７】
（ＢＭＬ文書への変換ルールＩＤの記述）
次に、データ放送コンテンツを構成するＢＭＬ（Ｂｒｏａｄｃａｓｔ  Ｍａｒｋｕｐ  Ｌａｎｇｕａｇｅ）文書への変換ルールＩＤの記述について、図６を用いて説明する。図６は、変換ルールＩＤが記述されたＢＭＬ文書を示す図である。図６（ａ）〜（ｄ）のＢＭＬ文書のバージョン表記文字列に変換ルールＩＤが記載される。
【００４８】
図６（ａ）に示すように、ＢＭＬ文書の中のＸＭＬ（ｅＸｔｅｎｓｉｂｌｅ  Ｍａｒｋｕｐ  Ｌａｎｇｕａｇｅ）コメントの（＜！−−バージョン表記文字列−−＞）に変換ルールＩＤが記載されると、既存のデータ放送受信機では、コメント内の記述は動作に影響を与えることはなく、変換ルールＩＤを無視するように設定されている。その結果、変換ルールＩＤが記載されていることによる既存のデータ放送コンテンツ受信装置の誤動作を防ぐことができる。一方、本実施形態のデータ放送コンテンツ受信変換装置１のように、変換ルールを用いてデータ放送コンテンツを変換して出力するデータ放送コンテンツ受信変換装置では、変換ルールＩＤ取得部１１でＸＭＬコメントに記載された変換ルールＩＤを抽出することができる。
【００４９】
また、図６（ｂ）に示すように、ＢＭＬ文書の中のＭｅｔａタグ（＜ｍｅｔａ  ｎａｍｅ＝“ｔｅｍｐｌａｔｅ  Ｖｅｒｓｉｏｎ”  ｃｏｎｔｅｎｔ＝“  バージョン表記文字列”／＞）に変換ルールＩＤが記載されると、図６（ａ）と同様にして、既存のデータ放送受信機では変換ルールＩＤを無視するように設定されている。その結果、変換ルールＩＤが記載されていることによる既存のデータ放送コンテンツ受信装置の誤動作を防ぐことができる。一方、本実施形態のデータ放送コンテンツ受信変換装置１のように、変換ルールを用いてデータ放送コンテンツを変換して出力するデータ放送コンテンツ受信変換装置では、変換ルールＩＤ取得部１１でＭｅｔａタグに記載された変換ルールＩＤを抽出することができる。
【００５０】
また、図６（ｃ）に示すように、ＢＭＬ文書の中のＴｉｔｌｅ（＜ｔｉｔｌｅ＞バージョン表記文字列＜／ｔｉｔｌｅ＞）に変換ルールＩＤが記載されると、図６（ａ）と同様にして、既存のデータ放送受信機では変換ルールＩＤを無視するように設定されている。その結果、変換ルールＩＤが記載されていることによる既存のデータ放送コンテンツ受信装置の誤動作を防ぐことができる。一方、本実施形態のデータ放送コンテンツ受信変換装置１のように、変換ルールを用いてデータ放送コンテンツを変換して出力するデータ放送コンテンツ受信変換装置では、変換ルールＩＤ取得部１１でＴｉｔｌｅに記載された変換ルールＩＤを抽出することができる。
【００５１】
なお、図６（ｄ）に示すように、ＢＭＬ文書の中にＢＭＬでは定義されていないタグ（＜ｔｅｍｐｌａｔｅ  Ｖｅｒｓｉｏｎ＞バージョン表記文字列＜／ｔｅｍｐｌａｔｅ  Ｖｅｒｓｉｏｎ＞）に変換ルールＩＤが記載されることでも、図６（ａ）と同様にして、既存のデータ放送受信機では変換ルールＩＤを無視するように設定されている。その結果、変換ルールＩＤが記載されていることによる既存のデータ放送コンテンツ受信装置の誤動作を防ぐことができる。一方、本実施形態のデータ放送コンテンツ受信変換装置１のように、変換ルールを用いてデータ放送コンテンツを変換して出力するデータ放送コンテンツ受信変換装置では、変換ルールＩＤ取得部１１でＢＭＬでは定義されていないタグに記載された変換ルールＩＤを抽出することができる。
【００５２】
（変換ルールＩＤの構成）
次に、変換ルールＩＤの構成について図７を用いて説明する。図７は、変換ルールＩＤの構成の一例を示す図である。図７に示す変換ルールＩＤでは、ＵＲＩ（Ｕｎｉｆｏｒｍ  Ｒｅｓｏｕｒｃｅ  Ｉｄｅｎｔｉｆｉｅｒ）名、第１階層バージョン番号、第２階層バージョン番号、第３階層バージョン番号から構成される。そして、放送局側でデータ放送コンテンツを作る際に用いる雛型である制作テンプレートの修正の程度に応じて、第１階層バージョン番号、第２階層バージョン番号、第３階層バージョン番号の内、どの階層バージョン番号を増加させるかについては、放送局側で予め設定されている。具体的には、制作テンプレートの修正の程度が微小なことにより、データ放送コンテンツの変化が微小である場合、変換ルールＩＤの第３階層バージョン番号を増加させるように設定されている。また、制作テンプレートの修正の程度が中程度であることにより、データ放送コンテンツの変化が中程度である場合、変換ルールＩＤの第２階層バージョン番号を増加させるように設定されている。また、制作テンプレートが大幅に修正されることにより、データ放送コンテンツが大幅に変化する場合、変換ルールＩＤの第１階層バージョン番号を増加させるように設定されている。従って、如何なる階層のバージョン番号が増加するかは、データ放送コンテンツの変化の度合いに応じて変わる。
【００５３】
前記の通り、変換ルールＩＤの第３階層バージョン番号が増加したときは、データ放送コンテンツの変化が微小である。データ放送コンテンツの変化が微小であることにより、受信したデータ放送コンテンツから取り出された変換ルールＩＤと第３階層バージョン番号のみが異なる変換ルールＩＤを有する変換ルールを用いて前記データ放送コンテンツの変換処理を行うことができる。従って、本実施形態のデータ放送コンテンツ受信変換装置１では、受信したデータ放送コンテンツから取り出された変換ルールＩＤと第３階層バージョン番号だけが異なる変換ルールＩＤを有する変換ルールが変換ルール蓄積部１５に蓄積されている場合、変換ルール蓄積部１５は、変換ルールが蓄積されている旨の信号を変換ルール問い合わせ部２０に出力する。そして、第１の変換ルール取得部２１は、受信したデータ放送コンテンツから取り出された変換ルールＩＤと第３階層バージョン番号だけが異なる変換ルールＩＤを有する変換ルールを変換ルール蓄積部１５から取得する。更に、変換ルール適用部１４は、第１の変換ルール取得部２１が取得した変換ルールを用いて前記データ放送コンテンツの変換処理を行う。なお、受信したデータ放送コンテンツから取り出された変換ルールＩＤとは、変換ルールＩＤ取得部１１で抽出された変換ルールＩＤのことであり、この変換ルールＩＤ取得部１１で抽出された変換ルールＩＤと第３階層バージョン番号だけが異なる変換ルールＩＤが、前記の変換ルールＩＤ取得部１１で抽出された変換ルールＩＤと類似の変換ルールＩＤのことである。
【００５４】
以上の通り、変換ルールＩＤ取得部１１で抽出された変換ルールＩＤと類似の変換ルールＩＤを有する変換ルールを変換ルール蓄積部１５に蓄積されているのであれば、第１の変換ルール取得部２１は、前記変換ルールを変換ルール蓄積部１５から取得し、この取得した変換ルールを用いて変換ルール適用部１４が前記データ放送コンテンツの変換処理を行っている。従って、変換ルールＩＤ取得部１１で抽出された変換ルールＩＤと同一の変換ルールＩＤを有する変換ルールが変換ルール蓄積部１５に蓄積されていなくても類似の変換ルールＩＤが変換ルール蓄積部１５に蓄積されているのであれば、インターネット等の通信網１７を介して接続された変換ルール配信サーバ１６から変換ルールを取得しないことにより、本実施形態のデータ放送コンテンツ受信変換装置１では、変換ルールの配信コストを低減することができる。
【００５５】
また、本実施形態のデータ放送コンテンツ受信変換装置１では、変換ルール蓄積部１５は、既に変換ルール蓄積部１５に蓄積されている変換ルールの変換ルールＩＤのＵＲＩ名が同一であるものの、新たな階層バージョン番号の変換ルールＩＤを有する変換ルールを取得した場合、既に変換ルール蓄積部１５に蓄積されている変換ルールに上書きして新たな階層バージョン番号の変換ルールＩＤを有する変換ルールを蓄積する。更に、変換ルール蓄積部１５は、新たなＵＲＩ名を持つ変換ルールＩＤを有する変換ルールを取得した場合、この変換ルールを追加蓄積する。
【００５６】
なお、本実施形態のデータ放送コンテンツ受信変換装置１では、変換ルールＩＤ取得部１１で抽出された変換ルールＩＤと類似する変換ルールＩＤは、変換ルールＩＤ取得部１１で抽出された変換ルールＩＤと第３階層バージョン番号だけが異なる変換ルールＩＤとしていたが、変換ルールＩＤ取得部１１で抽出された変換ルールＩＤと類似しているか否かの判定基準は変わることがある。具体的には、変換ルールＩＤ取得部１１で抽出された変換ルールＩＤと類似しているか否かの判定基準は、データ放送コンテンツ受信変換装置の通信機能、変換ルール取得に用いる伝送路帯域、あるいは伝送路の混雑状況によって変わる。
【００５７】
例えば、伝送路帯域が広い場合や伝送路が混雑していない場合、変換ルール配信サーバ１６からの変換ルールの取得が容易に行える。よって、例えば、変換ルールＩＤを、ＵＲＩ名の他、第１階層バージョン番号から第Ｎ階層バージョン番号までのバージョン番号で構成し（ただし、Ｎ≧４）、データ放送コンテンツの変化のレベルをＮ段階に分け、データ放送コンテンツの変化のレベルが最も大きいときに第１階層バージョン番号を増加させ、データ放送コンテンツの変化のレベルが最も小さいときに第Ｎ階層バージョン番号を増加させるようにする。そして、変換ルールＩＤ取得部１１で抽出された変換ルールＩＤと類似する変換ルールＩＤは、変換ルールＩＤ取得部１１で抽出された変換ルールＩＤと第Ｎ階層バージョン番号だけが異なる変換ルールＩＤとする。
【００５８】
一方、伝送路帯域が狭い場合や伝送路が混雑している場合、変換ルール配信サーバ１６からの変換ルールの取得が容易に行えない。よって、変換ルールＩＤを、ＵＲＩ名、第１階層バージョン、第２階層バージョン番号から構成されるようにすると共に、データ放送コンテンツが大幅に変化するときに第１階層バージョン番号を増加させ、データ放送コンテンツの変化が微小であるときに第２階層バージョン番号を増加させるようにする。そして、変換ルールＩＤ取得部１１で抽出された変換ルールＩＤと類似する変換ルールＩＤは、変換ルールＩＤ取得部１１で抽出された変換ルールＩＤと第２階層バージョン番号だけが異なる変換ルールＩＤとする。
【００５９】
＜第２の実施形態のデータ放送コンテンツ受信変換装置＞
次に、第２の実施形態のデータ放送コンテンツ受信変換装置について、説明する。本実施形態のデータ放送コンテンツ受信変換装置は、第１の実施形態のデータ放送コンテンツ受信変換装置と同様の構成を有しているが、受信したデータ放送コンテンツから取り出される変換ルールＩＤ、変換ルール蓄積部１５および変換ルール配信サーバ１６に蓄積されている変換ルールに付加された変換ルールＩＤの構成が異なる。
【００６０】
この変換ルールＩＤの構成について、図８を参照して説明する。図８は、第２の実施形態のデータ放送コンテンツ受信変換装置での変換ルールＩＤの構成を示す図である。図８に示すように、本実施形態のデータ放送コンテンツ受信変換装置１では、変換ルールＩＤは、ＵＲＩ名、バージョン番号から構成されている。そして、変換ルールＩＤが、ＵＲＩ名、バージョン番号から構成される場合、放送局側でデータ放送コンテンツを作る際に用いる雛型である制作テンプレートの修正が少しずつ行われることでデータ放送コンテンツの変化も少しずつ行われる度に、変換ルールＩＤのバージョン番号は１ずつ増加する。従って、変換ルールＩＤのバージョン番号の変化が所定値（例えば、４）以下である場合、データ放送コンテンツの変化は微小である。データ放送コンテンツの変化が微小であることにより、受信したデータ放送コンテンツから取り出された変換ルールＩＤのバージョン番号と差分が所定値（例えば、４）以下であるバージョン番号の変換ルールＩＤ（ただし、ＵＲＩ名は同一）を有する変換ルールを用いて前記データ放送コンテンツの変換処理を行うことができる。
【００６１】
従って、本実施形態のデータ放送コンテンツ受信変換装置１では、受信したデータ放送コンテンツから取り出された変換ルールＩＤのバージョン番号と差分が所定値（例えば、４）以下であるバージョン番号の変換ルールＩＤ（ただし、ＵＲＩ名は同一）を有する変換ルールが変換ルール蓄積部１５に蓄積されている場合、変換ルール蓄積部１５は、変換ルールが蓄積されている旨の信号を変換ルール問い合わせ部２０に出力する。そして、第１の変換ルール取得部２１は、受信したデータ放送コンテンツから取り出された変換ルールＩＤのバージョン番号と差分が所定値（例えば、４）以下であるバージョン番号の変換ルールＩＤ（ただし、ＵＲＩ名は同一）を有する変換ルールを変換ルール蓄積部１５から取得する。更に、変換ルール適用部１４は、第１の変換ルール取得部２１が取得した変換ルールを用いて前記データ放送コンテンツの変換処理を行う。なお、受信したデータ放送コンテンツから取り出された変換ルールＩＤとは、変換ルールＩＤ取得部１１で抽出された変換ルールＩＤのことであり、この変換ルールＩＤ取得部１１で抽出された変換ルールＩＤのバージョン番号と差分が０ではないと共に所定値（例えば、４）以下であるバージョン番号の変換ルールＩＤ（ただし、ＵＲＩ名は同一）が、変換ルールＩＤ取得部１１で抽出された変換ルールＩＤと類似の変換ルールＩＤのことである。
【００６２】
以上の通り、変換ルールＩＤ取得部１１で抽出された変換ルールＩＤと類似の変換ルールＩＤを有する変換ルールが変換ルール蓄積部１５に蓄積されているのであれば、第１の変換ルール取得部２１は、前記変換ルールを変換ルール蓄積部１５から取得し、この取得した変換ルールを用いて変換ルール適用部１４が前記データ放送コンテンツの変換処理を行っている。従って、変換ルールＩＤ取得部１１で抽出された変換ルールＩＤと同一の変換ルールＩＤを有する変換ルールが変換ルール蓄積部１５に蓄積されていなくても類似の変換ルールＩＤが変換ルール蓄積部１５に蓄積されているのであれば、インターネット等の通信網１７を介して接続された変換ルール配信サーバ１６から変換ルールを取得しないことにより、本実施形態のデータ放送コンテンツ受信変換装置１では、変換ルールの配信コストを低減することができる。
【図面の簡単な説明】
【００６３】
【図１】本発明の第１の実施形態であるデータ放送コンテンツ受信変換装置の構成を示すブロック図である。
【図２】本発明の第１の実施形態であるデータ放送コンテンツ受信変換装置の変換ルール取得判定部の構成を示すブロック図である
【図３】本発明の第１の実施形態であるデータ放送コンテンツ受信変換装置の動作を示すフローチャートの第１面である。
【図４】本発明の第１の実施形態であるデータ放送コンテンツ受信変換装置の動作を示すフローチャートの第２面である。
【図５】本発明の第１の実施形態であるデータ放送コンテンツ受信変換装置の動作を示すフローチャートの第３面である。
【図６】変換ルールＩＤが記述されたＢＭＬ文書を示す図である。
【図７】本発明の第１の実施形態であるデータ放送コンテンツ受信変換装置における変換ルールＩＤの構成を示す図である。
【図８】本発明の第２の実施形態であるデータ放送コンテンツ受信変換装置における変換ルールＩＤの構成を示す図である。
【符号の説明】
【００６４】
１   データ放送コンテンツ受信変換装置
１０ コンテンツ受信部
１１ 変換ルールＩＤ取得部
１２ コンテンツ蓄積部
１３ 変換ルール取得判定部
１４ 変換ルール適用部
１５ 変換ルール蓄積部
１６ 変換ルール配信サーバ
１７ 通信網
２０ 変換ルール問い合わせ部
２１ 第１の変換ルール取得部
２２ 変換ルール送出要求部
２３ 第２の変換ルール取得部
【図１】
0005281314.tif 000002
【図２】
0005281314.tif 000003
【図３】
0005281314.tif 000004
【図４】
0005281314.tif 000005
【図５】
0005281314.tif 000006
【図６】
0005281314.tif 000007
【図７】
0005281314.tif 000008
【図８】
0005281314.tif 000009